(57)【特許請求の範囲】
【請求項１】
受信した印刷データにおける総頁数を解析する解析手段と、
連帳用紙に対して印刷を行う印刷装置に設定されている連帳用紙束で印刷可能な頁数の情報である印刷可能頁数情報を取得する取得手段と、
前記取得手段により取得された印刷可能頁数情報と前記解析手段により解析された総頁数とを参照して、当該印刷データに基づく印刷結果が複数の連帳用紙束に印刷されると判定した場合、現在設定されている連帳用紙束の少なくとも最後の２頁に連帳用紙束の出力順を示す情報を印刷するよう前記印刷装置を制御する制御手段と、
を備えた印刷制御装置。
【請求項２】
前記連帳用紙束の出力順を示す情報には、当該印刷データを実行することによって出力される連帳用紙束の総数の情報が含まれている請求項１記載の印刷制御装置。
【請求項３】
前記解析手段により解析された総頁数と、１つの連帳用紙束に印刷可能な頁数とから当該印刷データの印刷処理に必要な連帳用紙束の総数を算出する算出手段をさらに備えた請求項２記載の印刷制御装置。
【請求項４】
前記取得手段は、前記印刷可能頁数情報を前記印刷装置から取得する請求項１から３のいずれか１項記載の印刷制御装置。
【請求項５】
前記取得手段は、１つの連帳用紙束に印刷可能な頁数の情報を利用者の操作に基づいて入力することにより、前記印刷可能頁数情報を取得する請求項１から３のいずれか１項記載の印刷制御装置。
【請求項６】
前記印刷装置により連帳用紙束の交換後に印刷された印刷済み頁数を計算する計算手段をさらに備え、
前記取得手段は、１つの連帳用紙束に印刷可能な頁数と前記計算手段により計算された印刷済み頁数とから当該印刷装置に設定されている連帳用紙束の残頁数を算出して、当該残頁数を印刷可能頁数情報として取得する請求項１から５のいずれか１項記載の印刷制御装置。
【請求項７】
連帳用紙に対して印刷を行う印刷装置と、
受信した印刷データにおける総頁数を解析する解析手段と、前記印刷装置に設定されている連帳用紙束で印刷可能な頁数の情報である印刷可能頁数情報を取得する取得手段と、前記取得手段により取得された印刷可能頁数情報と前記解析手段により解析された総頁数とを参照して、当該印刷データに基づく印刷結果が複数の連帳用紙束に印刷されると判定した場合、現在設定されている連帳用紙束の少なくとも最後の２頁に連帳用紙束の出力順を示す情報を印刷するよう前記印刷装置を制御する制御手段とを備えた印刷制御装置と、
を有する印刷システム。
【請求項８】
受信した印刷データにおける総頁数を解析する解析ステップと、
連帳用紙に対して印刷を行う印刷装置に設定されている連帳用紙束で印刷可能な頁数の情報である印刷可能頁数情報を取得する取得ステップと、
前記取得ステップにおいて取得された印刷可能頁数情報と前記解析ステップにおいて解析された総頁数とを参照して、当該印刷データに基づく印刷結果が複数の連帳用紙束に印刷されると判定した場合、現在設定されている連帳用紙束の少なくとも最後の２頁に連帳用紙束の出力順を示す情報を印刷するよう前記印刷装置を制御する制御ステップとをコンピュータに実行させるためのプログラム。
【発明の詳細な説明】
【技術分野】
【０００１】
本発明は、印刷制御装置、印刷システムおよびプログラムに関する。
【背景技術】
【０００２】
特許文献１には、連帳用紙の各ページに連続性を示す連続番号等を印刷して、後処理装置では印刷された連続番号を検出して検出された連続番号が前回検出した連続番号と連続している場合にのみ処理を実行することで、１つの印刷ジョブを連続して処理するようにした印刷後処理装置が開示されている。
【０００３】
特許文献２には、出力後の仕分けの手間が抑えられるように、指定された部数毎に種類の異なるマークを用紙上に出力するようにした出力制御装置が開示されている。
【０００４】
特許文献３には、記録紙の残量が設定量以下になったニアエンド状態を検出すると、用紙終端における印刷終了行の後ろの余白部分に終端用マークを印刷し、用紙交換後には次の記録紙の先頭の印刷開始行よりも上の余白部分に、直前に印刷した終端用マークに対応する先頭用マークを印刷するようにした印刷制御方法が開示されている。
【先行技術文献】
【特許文献】
【０００５】
【特許文献１】特開２００５−２６２４８６号公報
【特許文献２】特開２００６−３４４１０６号公報
【特許文献３】特開２０１３−２４４６５６号公報
【発明の概要】
【発明が解決しようとする課題】
【０００６】
連帳用紙に印刷を行う印刷装置では、多量なページ数の印刷データに基づく印刷処理を行うことが多い。そのため、１つの連帳用紙束では全ての印刷結果を出力することができずに、複数の連帳用紙束にわたって印刷結果が出力される場合がある。
【０００７】
そして、印刷処理が終わった連帳用紙では、最初に印刷したページが一番下になり最後に印刷したページが一番上になるように積まれることになる。そのため、出力された連帳用紙束を見ただけでは出力順を特定することが容易ではない。特に請求書等の印刷データを連帳用紙に印刷するような場合には、各ページにページ番号等が印刷されるわけではないため、出力された連帳用紙束を見ただけでは出力順を特定することはできない。
【０００８】
しかし、印刷後の連帳用紙束は出力順に取り扱わないとページ順がもとの印刷データとは異なってしまい、その後の処理に支障をきたす可能性もある。
【０００９】
本発明の目的は、印刷結果が複数の連帳用紙束にわたって出力された場合でも、利用者が出力順を特定することが可能な印刷制御装置、印刷システムおよびプログラムを提供することである。
【課題を解決するための手段】
【００１０】
［印刷制御装置］
請求項１に係る本発明は、受信した印刷データにおける総頁数を解析する解析手段と、
連帳用紙に対して印刷を行う印刷装置に設定されている連帳用紙束で印刷可能な頁数の情報である印刷可能頁数情報を取得する取得手段と、
前記取得手段により取得された印刷可能頁数情報と前記解析手段により解析された総頁数とを参照して、当該印刷データに基づく印刷結果が複数の連帳用紙束に印刷されると判定した場合、現在設定されている連帳用紙束の少なくとも最後の２頁に連帳用紙束の出力順を示す情報を印刷するよう前記印刷装置を制御する制御手段とを備えた印刷制御装置である。
【００１１】
請求項２に係る本発明は、前記連帳用紙束の出力順を示す情報には、当該印刷データを実行することによって出力される連帳用紙束の総数の情報が含まれている請求項１記載の印刷制御装置である。
【００１２】
請求項３に係る本発明は、前記解析手段により解析された総頁数と、１つの連帳用紙束に印刷可能な頁数とから当該印刷データの印刷処理に必要な連帳用紙束の総数を算出する算出手段をさらに備えた請求項２記載の印刷制御装置である。
【００１３】
請求項４に係る本発明は、前記取得手段が、前記印刷可能頁数情報を前記印刷装置から取得する請求項１から３のいずれか１項記載の印刷制御装置である。
【００１４】
請求項５に係る本発明は、前記取得手段が、１つの連帳用紙束に印刷可能な頁数の情報を利用者の操作に基づいて入力することにより、前記印刷可能頁数情報を取得する請求項１から３のいずれか１項記載の印刷制御装置である。
【００１５】
請求項６に係る本発明は、前記印刷装置により連帳用紙束の交換後に印刷された印刷済み頁数を計算する計算手段をさらに備え、
前記取得手段は、１つの連帳用紙束に印刷可能な頁数と前記計算手段により計算された印刷済み頁数とから当該印刷装置に設定されている連帳用紙束の残頁数を算出して、当該残頁数を印刷可能頁数情報として取得する請求項１から５のいずれか１項記載の印刷制御装置である。
【００１６】
［印刷システム］
請求項７に係る本発明は、連帳用紙に対して印刷を行う印刷装置と、
受信した印刷データにおける総頁数を解析する解析手段と、前記印刷装置に設定されている連帳用紙束で印刷可能な頁数の情報である印刷可能頁数情報を取得する取得手段と、前記取得手段により取得された印刷可能頁数情報と前記解析手段により解析された総頁数とを参照して、当該印刷データに基づく印刷結果が複数の連帳用紙束に印刷されると判定した場合、現在設定されている連帳用紙束の少なくとも最後の２頁に連帳用紙束の出力順を示す情報を印刷するよう前記印刷装置を制御する制御手段とを備えた印刷制御装置と、
を有する印刷システムである。
【００１７】
［プログラム］
請求項８に係る本発明は、受信した印刷データにおける総頁数を解析する解析ステップと、
連帳用紙に対して印刷を行う印刷装置に設定されている連帳用紙束で印刷可能な頁数の情報である印刷可能頁数情報を取得する取得ステップと、
前記取得ステップにおいて取得された印刷可能頁数情報と前記解析ステップにおいて解析された総頁数とを参照して、当該印刷データに基づく印刷結果が複数の連帳用紙束に印刷されると判定した場合、現在設定されている連帳用紙束の少なくとも最後の２頁に連帳用紙束の出力順を示す情報を印刷するよう前記印刷装置を制御する制御ステップとをコンピュータに実行させるためのプログラムである。
【発明の効果】
【００１８】
請求項１に係る本発明によれば、印刷結果が複数の連帳用紙束にわたって出力された場合でも、利用者が出力順を特定することが可能な印刷制御装置を提供することができる。
【００１９】
請求項２に係る本発明によれば、出力された連帳用紙束のいずれを見た場合でも、出力された連帳用紙束の総数を知ることが可能な印刷制御装置を提供することができる。
【００２０】
請求項３に係る本発明によれば、１つの連帳用紙束に印刷可能な頁数が予め分かっている場合に、印刷データの実行に必要な連帳用紙束の総数を算出することが可能な印刷制御装置を提供することができる。
【００２１】
請求項４に係る本発明によれば、利用者による操作を必要とすることなく、印刷可能頁数情報を取得することが可能な印刷制御装置を提供することができる。
【００２２】
請求項５に係る本発明によれば、利用者の操作により、印刷可能頁数情報を取得することが可能な印刷制御装置を提供することができる。
【００２３】
請求項６に係る本発明によれば、連帳用紙の途中から印刷データの実行が開始された場合でも、印刷可能頁数情報を取得することが可能な印刷制御装置を提供することができる。
【００２４】
請求項７に係る本発明によれば、印刷結果が複数の連帳用紙束にわたって出力された場合でも、利用者が出力順を特定することが可能な印刷システムを提供することができる。
【００２５】
請求項８に係る本発明によれば、印刷結果が複数の連帳用紙束にわたって出力された場合でも、利用者が出力順を特定することが可能なプログラムを提供することができる。
【図面の簡単な説明】
【００２６】
【図１】本発明の一実施形態の印刷システムのシステム構成を示す図である。
【図２】本発明の一実施形態における連帳機プリンタ３０の具体的な構成例を示す図である。
【図３】本発明の一実施形態におけるプリントサーバ１０のハードウェア構成を示すブロック図である。
【図４】本発明の一実施形態におけるプリントサーバ１０の機能構成を示すブロック図である。
【図５】本発明の一実施形態のプリントサーバ１０の動作を示すフローチャートである。
【図６】本発明の一実施形態により１つ目の連帳用紙束に対して印刷される２ページ分のバナーシートの印刷例を示す図である。
【図７】バナーシートに印刷される出力順情報７１、総束数情報７２を説明するための図である。
【図８】本発明の一実施形態により２つ目の連帳用紙束に対して印刷される２ページ分のバナーシートの印刷例を示す図である。
【図９】最後の２ページにバナーシートを印刷した場合、最後のページが谷折りで折り畳まれた場合の様子を示す図である。
【図１０】最後の２ページにバナーシートを印刷した場合、最後のページが山折りで折り畳まれた場合の様子を示す図である。
【図１１】図９に示すように最後のページが谷折りで折り畳まれた場合、最後のページは連帳用紙束の上で裏側となるように配置される様子を示す図である。
【図１２】図１０に示すように最後のページが山折りで折り畳まれた場合、最後のページは連帳用紙束の上で表側となるように配置されることになる様子を示す図である。
【図１３】連帳用紙束の最上部に連帳用紙束の出力順を示す情報が印刷されたバナーシートが表面で配置される様子を示す図である。
【発明を実施するための形態】
【００２７】
次に、本発明の実施の形態について図面を参照して詳細に説明する。
【００２８】
図１は本発明の一実施形態の印刷システムの構成を示すブロック図である。
【００２９】
本発明の一実施形態の印刷システムは、図１に示されるように、ネットワーク４０により相互に接続されたプリントサーバ（印刷制御装置）１０、端末装置２０および、連帳用紙に対して印刷を行う印刷装置である連帳機プリンタ３０により構成される。端末装置２０は、印刷データを生成してネットワーク４０経由にて生成した印刷データをプリントサーバ１０に対して送信する。プリントサーバ１０は、端末装置２０から送信された印刷データを受け付けて、印刷データに応じた画像を連帳用紙上に印刷するよう連帳機プリンタ３０を制御する。
【００３０】
ここで連帳用紙とは、切断可能なミシン目等を折り目としてページ毎に折りたたみ可能となっている連続した帳票用紙であり、いわゆるロール紙のような折り目が無く連続した用紙とは異なるものである。
【００３１】
次に、本実施形態における連帳機プリンタ３０の具体的な構成例を図２に示す。
【００３２】
本実施形態の連帳機プリンタ３０は、図２に示されるように、ホッパ３１と、搬送ローラ３２と、現像器３３と、感光ドラム３４と、転写ユニット３５と、定着器３６と、スタッカ３７とを備えている。
【００３３】
現像器３３は、感光ドラム３４上に形成された静電潜像を現像する。転写ユニット３５は、現像器３３により現像された感光ドラム３４上のトナー像を連帳用紙４１上に転写する。そして、連帳用紙４１上に転写されたトナー像は定着器３６により定着される。
【００３４】
この連帳機プリンタ３０では、ホッパ３１に収納された連帳用紙４１が給紙口から給紙され、給紙された連帳用紙４１が用紙搬送路上を搬送される間に連帳用紙４１上に印刷が行われ、スタッカ３７上に折り畳まれて排紙される構成になっている。
【００３５】
次に、本実施形態の印刷システムにおけるプリントサーバ１０のハードウェア構成を図３に示す。
【００３６】
プリントサーバ１０は、図３に示されるように、ＣＰＵ１１、メモリ１２、ハードディスクドライブ（ＨＤＤ）等の記憶装置１３、ネットワーク４０を介して外部の装置等との間でデータの送信及び受信を行う通信インタフェース（ＩＦ）１４、タッチパネル又は液晶ディスプレイ並びにキーボードを含むユーザインタフェース（ＵＩ）装置１５を有する。これらの構成要素は、制御バス１６を介して互いに接続されている。
【００３７】
ＣＰＵ１１は、メモリ１２または記憶装置１３に格納された制御プログラムに基づいて所定の処理を実行して、プリントサーバ１０の動作を制御する。なお、本実施形態では、ＣＰＵ１１は、メモリ１２または記憶装置１３内に格納された制御プログラムを読み出して実行するものとして説明したが、当該プログラムをＣＤ−ＲＯＭ等の記憶媒体に格納してＣＰＵ１１に提供することも可能である。
【００３８】
図４は、上記の制御プログラムが実行されることにより実現されるプリントサーバ１０の機能構成を示すブロック図である。
【００３９】
本実施形態のプリントサーバ１０は、図４に示されるように、印刷ジョブ受信部５１と、印刷ジョブ格納部５２と、転送部５３と、印刷ジョブ管理部５４と、印刷可能ページ数取得部５５とを備えている。
【００４０】
印刷ジョブ受信部５１は、連帳機プリンタ３０で印刷処理をするための印刷ジョブ（印刷データ）を、端末装置２０から受信する。
【００４１】
印刷ジョブ格納部５２は、印刷ジョブ受信部５１により受信された印刷ジョブを格納する。
【００４２】
転送部５３は、印刷ジョブ格納部５２に格納されている印刷ジョブをページ（頁）単位で連帳機プリンタ３０に転送する。
【００４３】
印刷可能ページ数取得部５５は、連帳機プリンタ３０に現在設定されている連帳用紙束で印刷可能なページ数の情報である印刷可能ページ数情報を取得する。
【００４４】
ここで、印刷可能ページ数取得部５５は、印刷可能ページ数情報を、ネットワーク４０を介して連帳機プリンタ３０から取得するようにしても良い。
【００４５】
また、印刷可能ページ数取得部５５は、１つの連帳用紙束に印刷可能なページ数の情報をユーザ（利用者）の操作に基づいて入力することにより、印刷可能ページ数情報を取得するようにしても良い。例えば、１つの連帳用紙束が２０００ページの連帳用紙から構成されている場合、ユーザが「２０００」という値を、ユーザインタフェースを介して入力することにより、印刷可能ページ数取得部５５は、この「２０００」ページを印刷可能ページ数情報として取得するようにしても良い。
【００４６】
ただし、１つの連帳用紙束の途中で印刷データの印刷処理が開始されたような場合には、１つの連帳用紙束のページ数がそのまま印刷可能ページ数とはならない。そのため、印刷可能ページ数取得部５５は、連帳用紙の交換後に連帳機プリンタ３０により出力された出力済みページ数を計算し、１つの連帳用紙束に印刷可能なページ数と計算された出力済みページ数とから連帳機プリンタ３０に設定されている連帳用紙束の残ページ数を算出して、この残ページ数を印刷可能ページ数情報として取得するようにすれば良い。
【００４７】
印刷ジョブ管理部５４は、転送部５３により転送される印刷ジョブのページ情報を管理している。
【００４８】
また、印刷ジョブ管理部５４は、印刷ジョブ受信部５１により受信され、印刷ジョブ格納部５２に格納された印刷ジョブにおける総ページ数を解析する。そして、印刷ジョブ管理部５４は、印刷可能ページ数取得部５５により取得された印刷可能ページ数情報と解析された総ページ数とを参照して、この印刷ジョブに基づく印刷結果が複数の連帳用紙束に印刷されるか否かを判定する。そして、印刷ジョブに基づく印刷結果が複数の連帳用紙束に印刷されると判定された場合、印刷ジョブ管理部５４は、転送部５３を制御することにより、現在設定されている連帳用紙束の少なくとも最後の２ページに連帳用紙束の出力順を示す情報を印刷するよう連帳機プリンタ３０を制御する。
【００４９】
なお、ここで連帳用紙束の出力順を示す情報には、この印刷ジョブを実行することによって出力される連帳用紙束の総数の情報を含めるようにしても良い。
【００５０】
印刷ジョブ管理部５４は、解析された印刷ジョブの総ページ数と、１つの連帳用紙束に印刷可能なページ数とからこの印刷ジョブの印刷処理に必要な連帳用紙束の総数を算出することができる。例えば、印刷処理を実行しようとする印刷ジョブの総ページ数が５００００ページで、１つの連帳用紙束が２０００ページの連帳用紙で構成されている場合には、この印刷ジョブの印刷処理に必要な連帳用紙束の総数は２６（５００００／１９９８≒２５．０３）であると算出することができる。なお、ここでは連帳用紙束の最後の２ページに連帳用紙束の出力順を示す情報をバナーシートとして印刷する場合を用いて説明するため、印刷ジョブの総ページ数を、１つの連帳用紙束のページ数の２０００から２を引いた１９９８ページで除算することにより必要な連帳用紙束の総数を算出している。
【００５１】
次に、本実施形態の印刷システムの動作について図面を参照して詳細に説明する。
【００５２】
図５は本実施形態の印刷システムの動作を説明するためのフローチャートである。なお、ここでは印刷処理を実行しようとする印刷ジョブの総ページ数が１つの連帳用紙束のページを超える場合の動作について説明する。また、印刷ジョブの総ページ数が５００００ページで、１つの連帳用紙束のページ数が２０００ページの場合を用いて説明する。
【００５３】
まず印刷可能ページ数取得部５５は、例えば連帳機プリンタ３０から１つの連帳用紙束のページ数である２０００という値を印刷可能ページ数として取得する(ステップＳ１０１)。または、ユーザが２０００という値を入力することにより、印刷可能ページ数取得部５５は、２０００という値を印刷可能ページ数として取得するようにしても良い。なお、印刷可能ページ数取得部５５は、ユーザが操作画面を操作して連帳用紙束の型番を入力することで、予め連帳用紙束の型番に対応付けてメモリ等に記載されている印刷可能ページ数を取得するようにしても良い。
【００５４】
そして、印刷ジョブ管理部５４が転送部５３を制御することにより１ページ分の画像データが連帳機プリンタ３０に送信されると(ステップＳ１０２)、出力済みページ数が１加算される(ステップＳ１０３)。そして、印刷ジョブの全ページの送信が完了したか否かが判定され（ステップＳ１０４）、印刷ジョブの全ページの送信が完了していない場合、次に送信するページが当該連帳用紙束の最後の２ページに印刷されることになるか否かが判定される（ステップＳ１０５）。
【００５５】
具体的には、ここでは１つの連帳用紙束のページ数である２０００であるため、最後の２ページとは、１９９９ページと、２０００ページを意味する。
【００５６】
そして、次に送信するページがこの最後の２ページに印刷されるページに該当しない場合には、ステップＳ１０２〜Ｓ１０４の処理が繰り返される。
【００５７】
そして、次に送信するページが最後の２ページ、つまり連帳用紙束の１９９９、２０００ページに印刷されるページに該当する場合（ステップＳ１０５においてｙｅｓ）、印刷ジョブ管理部５４は、通常の画像データの替りに、連帳用紙束の出力順を示す情報と連帳用紙束の総数の情報を含むバナーシートを印刷するための印刷データを２ページ分送信するよう転送部５３を制御する（ステップＳ１０６）。
【００５８】
このような制御が行われることにより印刷される２ページ分のバナーシートの印刷例を図６に示す。この図６では、１９９９ページと２０００ページに対して、「エンドバナーシート」というタイトル、ユーザ名、印刷ジョブ名の情報とともに「♯００１／０２６」という数字が印刷されている。
【００５９】
図７に示すように、この「♯００１」という数字は、連帳用紙束の出力順を示す出力順情報７１であり、「０２６」という数字は、連帳用紙束の総数を示す総束数情報７２である。
【００６０】
つまり、この図７に示すようなバナーシートを参照することにより、ユーザは、この連帳用紙束は全部で２６束（箱）印刷される連帳用紙束のうち出力順が１番目のものであることを知ることができる。
【００６１】
そして、２ページ分のバナーシートの印刷が完了すると、連帳用紙束が用紙切れとなり印刷が途中で停止する。そのため、連帳機プリンタ３０では用紙交換が行われる。そして、用紙交換が完了すると（ステップＳ１０７においてｙｅｓ）、ステップＳ１０１〜Ｓ１０６の処理が繰り返される。
【００６２】
このようにして、２つ目の連帳用紙束の最後の２ページにバナーシートが印刷された場合の印刷例を図８に示す。この図８に示した例では、２つ目（２箱目）の連帳用紙束に対する印刷結果例であるため、出力順情報７１として、「♯００２」という数字が印刷されているのが分かる。
【００６３】
このようにして連帳用紙束を交換する毎に、その連帳用紙束の最後の２ページに対しては、その連帳用紙束が出力された順番を示す出力順情報７１と、総束数情報７２が印刷されることになる。
【００６４】
なお、上記のような処理の途中で印刷ジョブの全ページに対する印刷が完了した場合（ステップＳ１０４においてｙｅｓ）、印刷ジョブ管理部５４は、印刷ジョブの全ページの印刷完了後に２ページ分のバナーシートを送信するよう転送部５３を制御して処理を終了する（ステップＳ１０８）。なお、この最後の２ページ分のバナーシートには、「♯０２６／０２６」という情報が印刷されることになる。
【００６５】
ここで、各連帳用紙束の最後の２ページに対して同一内容のバナーシートを印刷する理由を図９〜図１２を参照して説明する。
【００６６】
連帳用紙は、ページ毎に山折り谷折りが順次行われることにより折り畳まれる構造となっている。そのため、最後のページが谷折りで折り畳まれるのか山折りで折り畳まれるのかを特定することはできない。
【００６７】
ここで最後の２ページにバナーシートを印刷した場合、最後のページが谷折りで折り畳まれた場合の様子を図９に示し、山折りで折り畳まれた場合の様子を図１０に示す。
【００６８】
図９に示すように最後のページが谷折りで折り畳まれた場合、図１１に示すように、最後のページは連帳用紙束の上で裏側となるように配置されることになる。しかし、ここで図１１に示すようにこの最後のページを廃棄することにより、バナーシートの表面が表れることになる。
【００６９】
また、図１０に示すように最後のページが山折りで折り畳まれた場合、図１２に示すように、最後のページは連帳用紙束の上で表側となるように配置されることになる。そのため、図１２に示すように、最後のページをユーザが破棄するような作業を必要とすることなくバナーシートの表面が表れることになる。
【００７０】
つまり、本実施形態のように印刷終了後の連帳用紙束の最後の２ページに同内容のバナーシートを印刷するようにして、ユーザが連帳用紙束の最上部のページが裏側の白紙となっている場合には、その白紙を切り取って廃棄するようにすることにより、図１３に示すように、全ての連帳用紙束の最上部には連帳用紙束の出力順を示す情報が印刷されたバナーシートが表面で配置されることになる。
【符号の説明】
【００７１】
１０    プリントサーバ
１１    ＣＰＵ
１２    メモリ
１３    記憶装置
１４    通信インタフェース（ＩＦ）
１５    ユーザインタフェース（ＵＩ）装置
１６    スキャナ
１７    プリントエンジン
１８    制御バス
２０    端末装置
３０    連帳機プリンタ
３１    ホッパ
３２    搬送ローラ
３３    現像器
３４    感光ドラム
３５    転写ユニット
３６    定着器
３７    スタッカ
４０    ネットワーク
４１    連帳用紙
５１    印刷ジョブ受信部
５２    印刷ジョブ格納部
５３    転送部
５４    印刷ジョブ管理部
５５    印刷可能ページ数取得部
７１    出力順序情報
７２    総束数情報
【図１】
0006575817.tif 000002
【図２】
0006575817.tif 000003
【図３】
0006575817.tif 000004
【図４】
0006575817.tif 000005
【図５】
0006575817.tif 000006
【図６】
0006575817.tif 000007
【図７】
0006575817.tif 000008
【図８】
0006575817.tif 000009
【図９】
0006575817.tif 000010
【図１０】
0006575817.tif 000011
【図１１】
0006575817.tif 000012
【図１２】
0006575817.tif 000013
【図１３】
0006575817.tif 000014